(57)【要約】【課題】  移動通信端末機で受信されたテレビ信号を伝送する装置及び方法を提供する。【解決手段】  本発明によるテレビ信号の受信機能を有する移動通信端末機で前記テレビ信号を伝送する装置において、受信されたテレビ信号をキャプチャー及び伝送するための信号を発生する入力部と、前記入力部の信号に応じて前記受信されたテレビ信号をキャプチャー及び伝送するための命令語を発生し、前記受信されたテレビ信号のディスプレイと前記ディスプレイされるイメージをキャプチャーして伝送する処理が同時に行われるように制御する制御部と、前記制御部のキャプチャー命令に応じてキャプチャーされた前記テレビ信号を貯蔵するメモリと、前記メモリに貯蔵されたキャプチャーされたテレビ信号を伝送する伝送部とを含むことを特徴とする。【選択図】  図７
2004328741.tif 000002
【特許請求の範囲】
【請求項１】
動映像再生機能を有する移動通信端末機で動映像信号を伝送する装置において、
再生されている動映像信号をキャプチャー及び伝送するための信号を発生する入力部と、
前記入力部の信号に応じて前記再生されている動映像信号をキャプチャー及び伝送するための命令語を発生し、前記動映像信号のディスプレイと前記ディスプレイされるイメージをキャプチャーして伝送する処理が同時に行われるように制御する制御部と、
前記制御部のキャプチャー命令に応じてキャプチャーされた前記イメージを貯蔵するメモリと、
前記メモリに貯蔵されたキャプチャーされたイメージを伝送する伝送部とを含むことを特徴とする前記装置。
【請求項２】
前記キャプチャーされたイメージは静止映像データであることを特徴とする請求項１に記載の前記装置。 
【請求項３】
前記キャプチャーされたイメージは動映像データであることを特徴とする請求項１に記載の前記装置。
【請求項４】
前記装置は、
前記キャプチャーされたイメージを圧縮するファイル圧縮部をさらに含むことを特徴とする請求項１に記載の前記装置。
【請求項５】
前記ファイル圧縮部は前記静止映像データをＪＰＥＧ(Joint Photographic Experts Group)、ＢＭＰ(BitMap)、ＧＩＦ(Graphics Interchange Format)、ＰＩＣ(Picture Image)、ＴＩＦＦ(Tag Image File Format)、ＰＤＦ(Portable Document Format)及びＥＰＳ(Extension Post Script graphics)フォーマットのうち、選択されたいずれか一つのフォーマットで圧縮することを特徴とする請求項２に記載の前記装置。
【請求項６】
前記ファイル圧縮部は前記動映像データをＭＰＥＧ(Moving Pictures Expert Group)、ＡＳＦ(Advanced Streaming Format File)、ＡＳＸ(Advanced Streaming Redirect file)、ＡＶＩ、ＤＡＴ(Data file for video CD MPEG movie)、ＦＬＩ(Animator Animation)、ＦＬＣ(Animator Animation most recent version of FLI format)、ＭＯＶ(Apple QuickTime Movie)、ＭＰＧ(MPEG Movie)、ＲＡ(Real Audio)、ＲＡＭ(Real Media)、ＲＭ(Real Media)、ＶＯＢ(MPEG layer2 movie)及びＶＩＶ(Vivo Active Movies)フォーマットのうち、選択されたいずれか一つのフォーマットで圧縮することを特徴とする請求項３に記載の前記装置。
【請求項７】
前記装置は、
前記キャプチャーされたイメージの映像イメージのサイズを変換するイメージ変換部をさらに含むことを特徴とする請求項１に記載の前記装置。
【請求項８】
前記変換されたイメージのサイズは１２８×１１２及び１２８×９６ドットサイズのうち、選択されたいずれか一つであることを特徴とする請求項７に記載の前記装置。
【請求項９】
前記伝送部は、
前記メモリに貯蔵されているキャプチャーされたイメージをフォントゥーフォン(phone-to-phone)方法で伝送することを特徴とする請求項１に記載の前記装置。
【請求項１０】
前記伝送部は、
前記メモリに貯蔵されているキャプチャーされたイメージを電子メールに添付して伝送することを特徴とする請求項１に記載の前記装置。
【請求項１１】
前記装置は、
前記動映像信号を映像処理してディスプレイする第１表示領域及び前記入力部により選択可能に使用者機能選択メニューをディスプレイする第２表示領域から構成される表示部をさらに含むことを特徴とする請求項１に記載の前記装置。
【請求項１２】
動映像再生機能を有する移動通信端末機で動映像信号を伝送する方法において、
前記動映像信号を映像処理して再生する過程と、
再生されるイメージをキャプチャーする過程と、
前記キャプチャーされたイメージを伝送する過程とを含むことを特徴とする前記方法。
【請求項１３】
前記動映像信号を再生する過程は前記イメージをキャプチャーする過程及び伝送する過程と同時に行われることを特徴とする請求項１２に記載の前記方法。
【請求項１４】
前記キャプチャーされるイメージは静止映像データであることを特徴とする請求項１２に記載の前記方法。 
【請求項１５】
前記キャプチャーされるイメージは動映像データであることを特徴とする請求項１２に記載の前記方法。 
【請求項１６】
前記イメージをキャプチャーする過程の後に前記キャプチャーされたイメージをメモリに貯蔵する過程をさらに含むことを特徴とする請求項１２に記載の前記方法。
【請求項１７】
前記イメージをキャプチャーする過程の後に前記キャプチャーされたイメージを圧縮する過程をさらに含むことを特徴とする請求項１２に記載の前記方法。
【請求項１８】
前記ファイル圧縮はＪＰＥＧ、ＢＭＰ、ＧＩＦ、ＰＩＣ、ＴＩＦＦ、ＰＤＦ及びＥＰＳフォーマットのうち、選択されたいずれか一つのフォーマットで行われることを特徴とする請求項１２に記載の前記方法。
【請求項１９】
前記ファイル圧縮はＭＰＥＧ、ＡＳＦ、ＡＳＸ、ＡＶＩ、ＤＡＴ、ＦＬＩ、ＦＬＣ、ＭＯＶ、ＭＰＧ、ＲＡ、ＲＡＭ、ＲＭ、ＶＯＢ及びＶＩＶフォーマットのうち、選択されたいずれか一つのフォーマットで行われることを特徴とする請求項１５に記載の前記方法。
【請求項２０】
前記イメージをキャプチャーする過程の後に前記キャプチャーされたイメージのサイズを変換する過程をさらに含むことを特徴とする請求項１２に記載の前記方法。 
【請求項２１】
前記変換されたイメージのサイズは１２８×１１２及び１２８×９６ドットサイズのうち、選択されたいずれか一つであることを特徴とする請求項２０に記載の前記方法。
【請求項２２】
前記イメージを伝送する過程は、
前記キャプチャーされたイメージをフォントゥーフォン方法で伝送することを特徴とする請求項１２に記載の前記方法。 
【請求項２３】
前記イメージを伝送する過程は、
前記キャプチャーされたイメージを電子メールに添付して伝送することを特徴とする請求項１２に記載の前記方法。
【請求項２４】
前記ディスプレイ過程は、
移動通信端末機表示部の第１表示領域に前記再生される動映像信号を映像処理してディスプレイし、第２表示領域に前記入力部により選択可能に使用者機能選択メニューをディスプレイすることを特徴とする請求項１２に記載の前記方法。
【請求項２５】
テレビ信号の受信機能を有する移動通信端末機で前記テレビ信号を伝送する装置において、
受信されたテレビ信号をキャプチャー及び伝送するための信号を発生する入力部と、
前記入力部の信号に応じて前記受信されたテレビ信号をキャプチャー及び伝送するための命令語を発生し、前記受信されたテレビ信号のディスプレイと前記ディスプレイされるイメージをキャプチャーして伝送する処理が同時に行われるように制御する制御部と、
前記制御部のキャプチャー命令に応じてキャプチャーされた前記テレビ信号を貯蔵するメモリと、
前記メモリに貯蔵されたキャプチャーされたテレビ信号を伝送する伝送部とを含むことを特徴とする前記装置。
【請求項２６】
テレビ信号の受信機能を有する移動通信端末機で前記テレビ信号を伝送する方法において、
前記受信されたテレビ信号を映像処理してディスプレイする過程と、
前記ディスプレイされるイメージをキャプチャーする過程と、
前記キャプチャーされたイメージを伝送する過程とを含むことを特徴とする前記方法。 
【請求項２７】
テレビ信号の受信機能を有する移動通信端末機で前記テレビ信号を伝送する方法において、
前記受信されたテレビ信号を映像処理してディスプレイする過程と、
前記ディスプレイされるイメージの静止映像をキャプチャーする過程と、
前記キャプチャーされた静止映像イメージを伝送する過程とを含むことを特徴とする前記方法。
【請求項２８】
テレビ信号の受信機能を有する移動通信端末機で前記テレビ信号を伝送する方法において、
前記受信されたテレビ信号を映像処理してディスプレイする過程と、
前記ディスプレイされる動映像イメージのキャプチャー開始と終了命令に応じて前記キャプチャー時間の動映像イメージをキャプチャーする過程と、
前記キャプチャーされた動映像イメージを伝送する過程とを含むことを特徴とする前記方法。
【請求項２９】
前記ファイル圧縮部は前記静止映像データをＪＰＥＧ、ＢＭＰ、ＧＩＦ、ＰＩＣ、ＴＩＦＦ、ＰＤＦ及びＥＰＳフォーマットのうち、選択されたいずれか一つのフォーマットで圧縮することを特徴とする請求項４に記載の前記装置。
【請求項３０】
前記ファイル圧縮部は前記動映像データをＭＰＥＧ、ＡＳＦ、ＡＳＸ、ＡＶＩ、ＤＡＴ、ＦＬＩ、ＦＬＣ、ＭＯＶ、ＭＰＧ、ＲＡ、ＲＡＭ、ＲＭ、ＶＯＢ及びＶＩＶフォーマットのうち、選択されたいずれか一つのフォーマットで圧縮することを特徴とする請求項４に記載の前記装置。
【請求項３１】
前記ファイル圧縮はＪＰＥＧ、ＢＭＰ、ＧＩＦ、ＰＩＣ、ＴＩＦＦ、ＰＤＦ及びＥＰＳフォーマットのうち、選択されたいずれか一つのフォーマットで行われることを特徴とする請求項１７に記載の前記方法。
【請求項３２】
前記ファイル圧縮はＭＰＥＧ、ＡＳＦ、ＡＳＸ、ＡＶＩ、ＤＡＴ、ＦＬＩ、ＦＬＣ、ＭＯＶ、ＭＰＧ、ＲＡ、ＲＡＭ、ＲＭ、ＶＯＢ及びＶＩＶフォーマットのうち、選択されたいずれか一つのフォーマットで行われることを特徴とする請求項１７に記載の前記方法。
【発明の詳細な説明】
【技術分野】
【０００１】
本発明は移動通信端末機の伝送装置及び方法に係り、特に、テレビ信号の受信機能を有する移動通信端末機の伝送装置及び方法に関する。
【背景技術】
【０００２】
現在、移動通信端末機は音声通信機能以外に高速のデータを伝送しうる構造に変換されている。すなわち、ＩＭＴ-２０００(International Mobile Telecommunication-2000)規格の移動通信網を具現すると、前記移動通信端末機を用いて音声通信以外に高速のデータ通信を具現することができる。前記データ通信を行う移動通信端末機で処理可能なデータはパケットデータ(packet data)及び映像データ(例えば、picture data、pixel data)などがある。
【０００３】
さらに、前記携帯端末機は表示部を備え、前記表示部のサイズが徐々に拡張される趨勢である。かつ、基地局から受信される映像データを表示するか、カメラから撮影されたデータを処理できる携帯端末機も提案されている。このような携帯用端末機はテレビ映像信号を受信して表示することができる。この場合、前記携帯端末機にテレビ受信機能を付加すべきである。さらに、前記テレビ信号を処理する同時に又は独立的に通信機能を行えるべきである。
【０００４】
これにより、前記テレビ信号を受信して再生(すなわち、テレビモード)する同時に音声通話を行うか、データ通信を行える(すなわち、通話モード)方案が提示されている。
一方、このように動映像を再生して聴取する場合には通話のみが可能に設定されており、使用者の好みに合わせて編集又は他の作業は不可能になっている。すなわち、動映像の再生を終了した後、他の必要作業に対して制限的に機能が一つずつ追加されている。
したがって、動映像を再生する同時に使用者が所望の機能を行える移動通信端末機の必要性が要求されている。
【発明の開示】
【発明が解決しようとする課題】
【０００５】
したがって、本発明の目的は、テレビ信号の受信機能を有する移動通信端末機で前記受信されたテレビ信号を伝送する装置及び方法を提供することにある。
本発明の他の目的は、テレビ信号の受信機能を有する移動通信端末機で前記受信されたテレビ信号をキャプチャーして伝送する装置及び方法を提供することにある。
さらに、本発明の他の目的は、動映像再生機能を有する移動通信端末機で再生されている動映像信号をキャプチャーして伝送する装置及び方法を提供することにある。
さらに、本発明の他の目的は、再生されている動映像イメージをキャプチャーしてフォントゥーフォン方式で伝送する装置及び方法を提供することにある。
さらに、本発明のまた他の目的は、再生されている動映像イメージをキャプチャーして電子メールに添付して伝送する装置及び方法を提供することにある。
【課題を解決するための手段】
【０００６】
前記目的を達成するためのテレビ信号の受信機能を有する移動通信端末機で前記テレビ信号を伝送する装置は、受信されたテレビ信号をキャプチャー及び伝送するための信号を発生する入力部と、前記入力部の信号に応じて前記受信されたテレビ信号をキャプチャー及び伝送するための命令語を発生し、前記受信されたテレビ信号のディスプレイと前記ディスプレイされるイメージをキャプチャーして伝送する処理が同時に行われるように制御する制御部と、前記制御部のキャプチャー命令に応じてキャプチャーされた前記テレビ信号を貯蔵するメモリと、前記メモリに貯蔵されたキャプチャーされたテレビ信号を伝送する伝送部とを含むことを特徴とする。 
【０００７】
前記目的を達成するためのテレビ信号の受信機能を有する移動通信端末機で前記テレビ信号を伝送する方法は、前記受信されたテレビ信号を映像処理してディスプレイする過程と、前記ディスプレイされるイメージをキャプチャーする過程と、前記キャプチャーされたイメージを伝送する過程とを含むことを特徴とする。
【０００８】
前記目的を達成するための本発明の第１実施例によるテレビ信号の受信機能を有する移動通信端末機で前記テレビ信号を伝送する方法は、前記受信されたテレビ信号を映像処理してディスプレイする過程と、前記ディスプレイされるイメージの静止映像をキャプチャーする過程と、前記キャプチャーされた静止映像イメージを伝送する過程とを含むことを特徴とする。
【０００９】
前記目的を達成するための本発明の第２実施例によるテレビ信号の受信機能を有する移動通信端末機で前記テレビ信号を伝送する方法は、前記受信されたテレビ信号を映像処理してディスプレイする過程と、前記ディスプレイされる動映像イメージのキャプチャー開始と終了命令に応じて前記キャプチャー時間の動映像イメージをキャプチャーする過程と、前記キャプチャーされた動映像イメージを伝送する過程とを含むことを特徴とする。
【００１０】
前記目的を達成するための動映像再生機能を有する移動通信端末機で動映像信号を伝送する装置は、再生されている動映像信号をキャプチャー及び伝送するための信号を発生する入力部と、前記入力部の信号に応じて前記再生されている動映像信号をキャプチャー及び伝送するための命令語を発生し、前記動映像信号のディスプレイと前記ディスプレイされるイメージをキャプチャーして伝送する処理が同時に行われるように制御する制御部と、前記制御部のキャプチャー命令に応じてキャプチャーされた前記イメージを貯蔵するメモリと、前記メモリに貯蔵されたキャプチャーされたイメージを伝送する伝送部とを含むことを特徴とする。
【００１１】
前記目的を達成するための動映像再生機能を有する移動通信端末機で動映像信号を伝送する方法は、前記動映像信号を映像処理して再生する過程と、再生されるイメージをキャプチャーする過程と、前記キャプチャーされたイメージを伝送する過程とを含むことを特徴とする。
【発明の効果】
【００１２】
移動通信端末機でディスプレイされる動映像イメージを再生する同時にリアルタイムで静止映像又は動映像をキャプチャーすることができ、録画及び伝送も可能になる長所がある。
【発明を実施するための最良の形態】
【００１３】
以下、本発明の好ましい実施例を添付図面を参照して詳細に説明する。図面において同じ構成には同じ符号を使用する。
下記の説明では、１フレームの画素数、表示部で表示可能な画素数、スケーリングされた映像画素数、使用者データの表示文字数、静止映像及び動映像の圧縮方法、各装置間の伝送ラインなどのような特定の詳細が本発明の全般的な理解の提供のために示されている。前記特定の詳細なしに又はこれらの変形によっても本発明を容易に実施できるというのは当該技術分野における通常の知識を持つ者には明らかである。
【００１４】
一方、本発明で使用される“キャプチャー(capture)”用語は広い意味の概念として使用されている。すなわち、静止映像に対する臨時貯蔵のみならず、所定区間の動映像に対する臨時貯蔵にも使用されている。
【００１５】
図１は本発明の実施例による移動通信端末機の構成を示した図である。ここで、前記移動通信端末機は携帯電話機(mobile telephone)となり得る。
図１を参照すれば、移動通信端末機でテレビ放送信号を受信するためにチューナー５０、デコーダ６０、映像処理部７０及び表示部８０を備える。さらに、移動通信端末機の基本的な機能である通話及びデータ送受信機能の実行のためにＲＦ部２１、データ処理部２３、オーディオ処理部２５、制御部１０及びキーパッド２７を備える。
【００１６】
一方、図１に示した前記テレビ放送信号を受信するためのチューナー５０と連結されたアンテナ及び通話機能のためのＲＦ部２１と連結されたアンテナは一つのアンテナで具現することもでき、本発明では説明の便宜上、二つのアンテナで示した。
【００１７】
本発明によれば、アンテナ及び前記チューナー５０を通じて受信されたテレビ放送信号が前記表示部８０にディスプレイされると同時に前記ディスプレイされる映像イメージをキャプチャーして前記通話及びデータ送受信機能のためのブロックにより伝送することができる。すなわち、このようなマルチタスキングは前記テレビ放送信号を受信するテレビモードと通話及びデータ送受信を行う通話モードが各機能ブロックにより同時に処理されるので可能である。さらに、前記二種のモードは後述する制御部１０内の映像処理部でそれぞれ制御するので、テレビイメージのキャプチャー、録画及び伝送時にも前記テレビイメージはリアルタイムで受信及びディスプレイが可能である。
【００１８】
以下、図１に示した本発明による伝送装置の構造をより具体的に説明する。
前記ＲＦ部２１は移動通信端末機の無線通信を行う。前記ＲＦ部２１は送信される信号の周波数を上昇変換及び増幅するＲＦ送信機と、受信される信号を低雑音増幅し周波数を下降変換するＲＦ受信機などを含む。データ処理部２３は前記送信される信号を符号化及び変調する送信機及び前記受信される信号を復調及び復号化する受信機などを備える。すなわち、前記データ処理部２３はモデム(MODEM)及びコデック(CODDEC)で構成されうる。前記データ処理部２３を通じてキャプチャーされたテレビイメージがコーディングされて前記ＲＦ部２１を通じて伝送される。
【００１９】
オーディオ処理部２５は前記データ処理部２３から出力される受信オーディオ信号を再生するか、マイクから発生される送信オーディオ信号を前記データ処理部２３に伝送する機能を行う。さらに、前記オーディオ処理部２５はテレビモードの時、後述するデコーダ６０から出力されるテレビ信号のオーディオ信号を再生する機能を行う。
【００２０】
キーパッド２７は数字及び文字情報を入力するためのキー及び各種の機能を設定するための機能キーを備える。さらに、前記キーパッド２７は本発明の実施例に応じてディスプレイされるテレビ映像信号をキャプチャー、伝送及び貯蔵するための各種モード設定キーなどを備える。特に、動映像イメージをキャプチャーする場合、キャプチャー開始命令とキャプチャー終了命令を行うモード設定が追加される。
【００２１】
メモリ２９はプログラムメモリ及びデータメモリで構成されうる。前記プログラムメモリには携帯用電話機の一般的な動作を制御するためのプログラム及び本発明の実施例によりテレビ映像信号を処理するためのプログラムを貯蔵することができる。さらに、前記データメモリ２９は前記プログラムの実行時に発生されるデータを一時的に貯蔵する機能を行う。
【００２２】
すなわち、本発明に応じてキャプチャーされた静止映像又は動映像イメージは前記データメモリ２９に一時的又は永久的に貯蔵される。
一方、前記映像処理部７０では受信されたテレビ信号による動映像イメージをフレームの単位で構成して自体メモリに一時的に貯蔵して表示部８０に伝送する。さらに、貯蔵された以前フレームのデータを読み出して表示部に出力し、現在フレームのデータを貯蔵する。したがって、毎フレームデータは前記映像処理部７０内に別途に備えられたメモリにリアルタイムで貯蔵及び読み出されるので、前記フレームデータを貯蔵するためのメモリとして前記制御部と連結されたメモリ２９が活用されうる。
【００２３】
本発明の実施例により静止映像イメージが伝送される場合、前記メモリ２９に別途に貯蔵せず、前記映像処理部７０内にリアルタイムで臨時貯蔵される１フレームのデータが直接伝送されることができる。前記映像処理部７０のより具体的な処理内容を図２及び図３を参照して説明する。
【００２４】
制御部１０は移動通信端末機の全般的な動作を制御する機能を行う。さらに、前記制御部１０は前記データ処理部２３を含むこともできる。前記制御部１０は本発明の実施例によりテレビイメージをディスプレイする間(すなわち、テレビモード)、前記キーパッド２７からキャプチャー及び伝送命令が受信されるとき、前記テレビイメージのディスプレイと同時に前記イメージをキャプチャー及び伝送(すなわち、通話モード)するように制御する。
【００２５】
前記テレビモードの場合、前記制御部１０は前記映像処理部７０が前記設定されたテレビモードに応じて受信されるテレビ映像信号を表示するように制御すると同時にテレビモードにおける使用者データを前記映像処理部７０に出力する。さらに、通信モードの場合、前記制御部１０は前記映像処理部７０がテレビモード又はオンスクリーンディスプレイ(On Screen Display、以下、“ＯＳＤ”という)モードで動作するように制御し、通信モードにおける使用者データを前記映像処理部７０に出力する。さらに、前記通信モードで音声通信モードを行う場合、前記制御部１０は後述するデコーダ６０から出力されるテレビオーディオ信号の経路を遮断して音声通信を行うように制御する。
【００２６】
チューナー５０は前記制御部１０の制御下で選択されたチャンネルのテレビ映像信号を受信し、受信されるテレビ映像信号を周波数変換する機能を行う。デコーダ６０は前記チューナー５０から出力されるテレビの複合映像信号を復調及びデコーディングする機能を行う。前記デコーダ６０は前記複合映像信号で音声及び映像信号を分離し、前記分離された音声信号及び映像信号をデコーディングして音声信号は前記オーディオ処理部２５に印加し、前記映像信号は映像処理部７０に伝える。さらに、前記デコーダ６０は前記テレビ映像信号をデコーディングして色信号(Ｒ、Ｇ、Ｂ)及び同期信号(水平同期信号及び垂直同期信号)を出力する。
【００２７】
映像処理部７０は前記制御部１０とデータ通信を行い、前記制御部１０のテレビモード及び通信モード制御に応じて前記制御部１０から出力される使用者データ及び前記デコーダ６０から出力されるテレビ映像信号を表示するための信号処理機能を行う。前記映像処理部７０はテレビモード時に前記デコーダ６０から出力される映像信号及び前記制御部１０から出力される使用者データを処理して表示部８０の対応する領域に出力する機能を行う。
【００２８】
ここで、前記使用者データは現在の時間、バッテリ残量表示及び受信感度などを含み、前記テレビモードの状態変更による状態データなどを意味する。前記映像処理部７０は前記テレビ信号をフレームのサイズで処理して出力し、前記テレビ映像データと使用者データをそれぞれ区分して出力する。さらに、前記映像処理部７０は通信モード時にテレビモード又はＯＳＤモードで通信をサービスすることができる。
【００２９】
すなわち、テレビモードで通信モードを行う場合、前記映像処理部７０はテレビ映像データを出力すると同時に制御部１０から出力される通信モードの使用者データを出力する。さらに、ＯＳＤモードで通信モードを行う場合、前記映像処理部７０は前記テレビ映像データを遮断し、前記制御部１０から出力される通信モードの使用者データを表示するように制御する。この際、使用者データは文字メッセージ又は加入者の情報などとなり得る。
【００３０】
前記表示部８０は通信モード時に前記制御部１０から出力されるデータを表示し、テレビモード時に前記映像処理部７０から出力されるテレビ映像データ及び使用者データをそれぞれ対応する領域に表示する。前記テレビモード時に前記表示部８０は前記映像処理部７０から出力されるテレビ映像信号を第１表示領域に表示し、使用者データを第２表示領域に表示する。
【００３１】
さらに、前記表示部８０は第３表示領域をさらに備えることができ、この際、前記第３表示領域はメニューなどのようなソフトキーを表示する領域として使用できる。通信モード時に前記表示部８０はテレビモードであれば前記第１表示領域にテレビ映像信号を表示し、第２表示領域に通信モード時の使用者データを表示し、ＯＳＤモードであれば、前記第１及び第２表示領域に通信モード時の使用者データを表示する。
【００３２】
ここで、前記表示部８０はＬＣＤ(liquid crystal display)で具現される。この場合、前記表示部８０はＬＣＤ制御部(LCD controller)、映像データを貯蔵しうるメモリ及びＬＣＤ表示素子などを備えることができる。ここで、前記ＬＣＤをタッチスクリーン(touch screen)方式で具現する場合、前記キーパッド２７とＬＣＤは入力部となり得る。
【００３３】
図２は図１の構成でテレビ受信機の構成を示した図である。
図２を参照して移動通信端末機のテレビモードの動作を調べると、使用者がテレビモードを選択すると、前記制御部１０はこれを映像処理部７０に知らせる。その後、前記映像処理部７０はチューナー５０にチャンネルを選択するための制御データを出力し、前記デコーダ６０を駆動する。次に、前記チューナー５０は前記映像処理部７０から出力されるチャンネル制御データに対応するチャンネルで同調され、前記同調されたチャンネルで受信されるテレビ映像信号を受信及び周波数変換してデコーダ６０に出力する。
【００３４】
さらに、前記デコーダ６０は前記受信されるテレビ映像信号をデコーディングしてＲＧＢアナログ映像信号及び同期信号(水平及び垂直同期信号)を出力する。前記デコーダ６０は受信される複合映像信号から色信号を分離して出力する機能を行う。ここで、前記デコーダ６０はＮＴＳＣ方式のデコーダで具現されうる。
【００３５】
前記デコーダ６０から出力されるＲＧＢ映像信号及び同期信号を受信する映像処理部７０は前記テレビ動映像信号に使用者データを付加して表示部８０に表示する。この際、前記使用者データは制御部１０から出力される使用者データとなり得る。さらに、前記使用者データは前記制御部１０の制御下で前記映像処理部７０から生成されることもできる。このような使用者データは前記テレビ映像信号にオンスクリーンの形態で表示(すなわち、ＯＳＤ)される。
【００３６】
前記映像処理部７０はＲＧＢアナログのテレビ映像信号を入力し、前記アナログ映像信号を内蔵しているＡ/Ｄ変換機(Analog to Digital Converter: ADC)によりデジタルデータに変換して前記表示部８０に出力する。さらに、前記映像処理部７０は前記制御部１０から出力される使用者データ又は前記制御部１０の制御下で内部に生成される使用者データをＯＳＤで表示することができ、前記表示されるテレビ画面のキャプチャー(capture)機能及びＯＳＤのブロックコピー(block copy)機能を有する。
【００３７】
このようなテレビモードでキャプチャー命令が入力されると、前記制御部１０は映像処理部７０にキャプチャー命令の発生を知らせる。この際、前記映像処理部７０は受信されるテレビ映像信号を表示部８０の第１表示領域に表示する同時に第２表示領域に前記キャプチャー命令と関連されたメニューを表示する。さらに、前記表示部８０の第１及び第２表示領域にテレビ映像信号が拡大されて表示される場合、前記映像処理部７０は前記テレビ映像信号を前記第１表示領域に縮小表示し、前記キャプチャー命令と関連されたメニューを第２表示領域に表示する。
さらに、前記キャプチャー命令に応じてキャプチャーされたイメージは前記映像処理部７０から前記制御部１０の制御を通じてメモリ２９に貯蔵される。
【００３８】
図３は図１及び図２の映像処理部７０の詳細ブロック構成を示しており、図４は前記制御部１０と映像処理部７０との間のデータアクセスタイミングを示している。
図３及び図４を参照して前記映像処理部７０の動作を調べると、Ａ/Ｄ変換機１１１は前記デコーダ６０から出力されるＲＧＢアナログ信号をデジタル変換する。ここで、前記Ａ/Ｄ変換機１１１は前記ＲＧＢアナログ信号を１８ビットのＲＧＢデジタルデータ(６５５３６色相)に変換すると仮定する。
【００３９】
スケーラー(format scaler)１１３は前記Ａ/Ｄ変換機１１１から出力されるＲＧＢデジタルデータと前記デコーダ６０から出力される水平同期信号ＨＳＹＮＣ及び垂直同期信号ＶＳＹＮＣを入力し、前記同期信号に基づいて前記ＲＧＢデジタルデータのサイズをスケーリングする。前記スケーリング動作は次の通りである。先ず、表示画像のサイズを決定する。第二に、前記決定された表示画像のサイズを水平及び垂直に対してそれぞれサイズＶＸＳＩＺＥ及びＶＹＳＩＺＥを設定する。
【００４０】
本発明の実施例では前記テレビ映像信号を最大２２０*１７６画素から最小１００*７５画素にスケーリングすると仮定する。第三に、スケーリング率(拡大/縮小率)を設定する。第四に、水平方向に対しては７２０*４０９６/ＶＸＳＩＺＥを計算してこれを“ＨＬＳＲ”に設定し、垂直方向に対しては２４０*２０４８/ＶＹＳＩＺＥを計算してこれを“ＶＬＳＲ”に設定する。本発明の実施例では入力される映像信号を最大２２０*１７６画素でスケーリングすると仮定する。さらに、前記スケーラー１１３は前記ＲＧＢ１８ビットデータをＲＧＢ１６ビットデータに変換する。ここで、前記１６ビットのデータ[１５:０]は５ビットのＲ(Red)データ[１５:１１]、６ビットのＧ(Green)データ[１０:５]及び５ビットのＢ(Blue)データ[４:０]で構成することができる。 
【００４１】
メモリ１３１，１３３，１３５はフレームのサイズ(１７６*２２０*１２ビット)のデータを貯蔵するメモリである。テレビモードで前記メモリ１３１は使用者データを貯蔵するメモリとして使用され、メモリ１３３，１３５は映像データを貯蔵するメモリとして使用される。さらに、ＯＳＤモードで前記メモリ１３１及び１３３は使用者データを貯蔵するメモリとして使用され、メモリ１３５は背景画面データを貯蔵するメモリとして使用される。
【００４２】
メモリ制御部１２３は前記制御部１０の制御下で前記メモリ１３１，１３３，１３５のアクセスを制御する機能を行う。前記メモリ１２３はテレビモード及びＯＳＤモードに応じて前記メモリ１３１，１３３，１３５を区分して制御する。先ず、テレビモード時に前記メモリ制御部１２３は前記制御部１０から出力される使用者データを第１メモリ１３１にアクセスし、前記第２メモリ１３３(又は第３メモリ１３５)で前記スケーラー１１３から出力される現在のフレーム映像データを貯蔵し、前記第３メモリ１３５(又は第２メモリ１３３)に貯蔵された以前のフレーム映像データを出力する。
【００４３】
前記メモリ制御部１２３は前記メモリ１３３及び１３５に受信されるテレビのＲＧＢ映像データをフレームの単位で貯蔵及び出力する。この際、前記メモリ１３３に現在のフレーム映像データを貯蔵する場合、前記メモリ１３５に貯蔵された以前のフレーム映像データを出力し、前記メモリ１３５に現在のフレーム映像データを貯蔵する場合、前記メモリ１３３に貯蔵された以前のフレーム映像データを出力する。すなわち、前記メモリ制御部１２３は前記メモリ１３３及び１３５をアクセスするときに受信されるフレームデータを貯蔵すると同時に貯蔵されている以前のフレームデータを出力することにより、テレビ映像信号をリアルタイムで処理する。
【００４４】
すなわち、テレビ映像信号を表示するとき、秒当たり３０フレームを処理すべきなので、二つのフレームメモリを用いて映像信号をリアルタイムで表示部８０に伝送する。さらに、前記メモリ制御部１２３はフレーム区間(垂直同期信号区間)で前記フレーム映像データを表示部８０に出力し、次のフレームが開始される前の休止区間で前記メモリ１３１に貯蔵されている使用者データを出力する。したがって、前記メモリ制御部１２３は１フレームの映像信号を表示する区間で映像信号が存在する区間(１垂直同期信号区間)では前記メモリ１３３又は１３５に貯蔵されたフレーム映像データを出力し、休止区間で前記メモリ１３１に貯蔵された使用者データを出力する。
【００４５】
第二に、ＯＳＤモード時に前記メモリ制御部１２３は前記メモリ１３１及び１３３に使用者データをアクセスするメモリとして使用し、メモリ１３５は背景画面データを貯蔵するメモリとして使用する。この際、前記メモリ１３１及び１３３は同時に使用せず、一つのみを設定して使用することもできる。
【００４６】
ＯＳＤ混合部(On Screen Data mixer)1２５は前記メモリ制御部１２３から出力されるフレームサイズの映像データと前記使用者データをオンスクリーンデータとして混合して前記表示部８０に出力する。さらに、タイミング制御部１２１はテレビモード時に検出された同期信号(水平同期信号ＨＳＹＮＣ、垂直同期信号ＶＳＹＮＣ)及び画素クロック(ＤＯＴＣＬＫ)を発生する。前記タイミング制御部１２１は前記ＯＳＤ混合部１２５から出力される映像データの画素、ライン映像データ及びフレーム映像データの同期を合わせて前記表示部８０に出力されるように制御する。
【００４７】
制御インターフェース１１７は前記制御部１０と映像処理部７０との間の使用者データ及びモード制御データをインターフェースする。本発明の実施例で前記制御インターフェース１１７は前記制御部１０と１７ビットのアドレスと１６ビットのデータをインターフェースする。この際、前記アドレスの最上位ビットＡ１６が“１”であるときは映像処理部７０のフレームメモリをアクセスし、“０”であるときは映像処理部７０のレジスタをアクセスする。
【００４８】
図４を参照すれば、先ず、前記制御部１０が前記映像処理部７０にデータを出力する場合、前記制御部１０は参照符号２１１のように映像処理部７０を選択し、参照符号２１３のように記録モードを活性化させる。さらに、参照符号２１７のようにアドレスＭＡ[１６:０]及び使用者データＭＤ[１５:０]を出力して使用者データを前記映像処理部７０に記録する。この際、前記使用者データは現在の時間、バッテリの残量及び受信感度などのデータと、テレビ画面制御及びモードを設定するための制御データと、メニューデータなどとなり得る。
【００４９】
第二に、前記制御部１０が前記映像処理部７０からデータをアクセスする場合、前記制御部は参照符号２２１のように映像処理部７０を選択し、参照符号２２５のようにリードモードを活性化させる。さらに、参照符号２１７のようにアドレスＭＡ[１６:０]を出力して該当アドレスの使用者データＭＤ[１５:０]をアクセスする。前記制御インターフェース１１７は図４に示したように制御部１０の出力を映像処理部７０で処理するようにインターフェースする機能を行う。
【００５０】
Ｉ２Ｃインターフェース１１５は二つのスレーブ装置(slave device)を制御しうるＩ２Ｃバスマスターを備える。前記Ｉ２Ｃインターフェース１１５は前記チューナー５０及びデコーダ６０を制御し、前記制御インターフェース１１７により制御される。
【００５１】
ＯＳＤ制御部(OSD RAM Block Copy Accelerator)１１９は前記使用者データの任意の長方形領域を任意の位置にコピーすることができる。前記ＯＳＤ制御部１１９は前記制御インターフェース１１７から出力される制御部１０の制御データにより任意の長方形領域のデータを表示される映像画面の任意の位置にブロックコピーすることができる。前記コピー機能はメモリ内又はメモリの間でも可能である。前記テレビモードの場合、メモリ１３１内におけるブロックコピーのみが可能である。さらに、ＯＳＤモードの場合、メモリ１３１内、メモリ１３３内、メモリ１３１と１３３の間のブロックコピーが可能である。
【００５２】
さらに、本発明の具現のために前記映像処理部７０はファイル圧縮部１３７及びイメージ変換部１３９をさらに備える。前記ファイル圧縮部１３７及びイメージ変換部１３９は前記メモリ制御部１２３の制御に応じてキャプチャーされたイメージを圧縮又は変換する機能を行う。
【００５３】
より具体的に説明すると、前記スケーラー１１３を通じて変換されたフレームイメージデータは上述したようにリアルタイムでフレームの単位で前記メモリ１３１に貯蔵され、本発明に応じて前記イメージをキャプチャーして伝送する場合、前記フレームイメージを圧縮する過程が必要である。前記イメージ圧縮は前記ファイル圧縮部１３７で行われる。
【００５４】
一方、動映像データをキャプチャーして伝送する場合、前記メモリ１３１にはイメージがフレームの単位で貯蔵及び読み出されるので、前記フレームデータを累積して別途に貯蔵すべきである。この時にも前記累積されて貯蔵された動映像イメージが前記ファイル圧縮部１３７を通じて圧縮される。
【００５５】
前記ファイル圧縮部はキャプチャーされたデータが静止映像データである場合、ＪＰＥＧ(Joint Photographic Experts Group)、ＢＭＰ(BitMap)、ＧＩＦ(Graphics Interchange Format)、ＰＩＣ(Picture Image)、ＴＩＦＦ(Tag Image File Format)、ＰＤＦ(Portable Document Format)及びＥＰＳ(Extension Post Script graphics)フォーマットのうち、選択されたいずれか一つのフォーマットで圧縮することができる。さらに、前記キャプチャーされたデータが動映像データである場合、ＭＰＥＧ(Moving Pictures Expert Group)、ＡＳＦ(Advanced Streaming Format File)、ＡＳＸ(Advanced Streaming Redirect file)、 ＡＶＩ、ＤＡＴ(Data file for video CD MPEG movie)、ＦＬＩ(Animator Animation)、ＦＬＣ(Animator Animation most recent version of FLI format)、ＭＯＶ(Apple QuickTime Movie)、ＭＰＧ(MPEG Movie)、ＲＡ(Real Audio)、ＲＡＭ(Real Media)、ＲＭ(Real Media)、ＶＯＢ(MPEG layer2 movie)及びＶＩＶ(Vivo Active Movies)フォーマットのうち、選択されたいずれか一つのフォーマットで圧縮することができる。
【００５６】
前記イメージ変換部１３９はキャプチャーして伝送するデータが静止映像データである場合、受信側移動通信端末機のディスプレイ規格に合わせてイメージのサイズを変換する機能を行う。例えば、前記フレームイメージデータは移動通信網事業者の基準に応じて１２８×１１２ドット又は１２８×９６ドットのサイズに変換される。
【００５７】
一方、前記イメージ変換部１３９で変換された静止映像データは圧縮せず伝送されることもできる。例えば、受信側端末機がイメージデータの圧縮を解除する機能のない端末機である場合、前記静止映像データは圧縮なしに伝送されることが好ましい。
【００５８】
図５は図１の表示部８０の表示領域を示した図である。前記表示部８０はテレビモード時に受信されたテレビイメージを表示する第１表示領域８１と使用者データを表示する第２表示領域８３とを有する。さらに、前記テレビモード又はＯＳＤモードでメニューを設定するためのソフトキー情報を表示する第３表示領域８５をさらに備えることもできる。本発明の実施例では前記第１表示領域８１(又は第１表示領域及び第２表示領域)をテレビ映像イメージをディスプレイする領域として使用し、前記第３表示領域をテレビイメージをキャプチャー及び伝送するメニューが表示される領域として使用する。
【００５９】
図６は本発明の実施例によるキーパッド２７及び表示部８０の構成例を示した図である。前記キーパッド２７の構成で、ＴＶオンキー(TV mode ON key)３１は携帯電話機をテレビモードに設定するキーである。待機モードでＴＶキーを長くクリックすると(long click)、制御部１０は前記キー入力をＴＶオンキーとして感知する。画面調整キー(TV mode screen size key)３３は表示部８０に表示される画面のサイズ及び方向を変換させるキーである。前記テレビモードが設定された状態で前記ＴＶキーを短くクリックすると(short click)、前記制御部１０は前記キー入力を画面調整キーとして感知する。
【００６０】
本発明の実施例では前記ＴＶオン及び画面調整を一つのＴＶキーで具現する例を説明しているが、前記ＴＶオンキーと画面調整キーをそれぞれ独立的に具現することもできる。
画面撮影キー(TV mode capture key)３５は前記テレビモードが設定されてＴＶ画面信号を表示する状態で確認キー又は撮影キーを押すと、前記制御部１０は前記キー入力を画面撮影キーとして感知する。メニューキー３７はテレビモードの設定及びＴＶモードが設定された状態でチャンネル、画面及びタイマーなどを調節する機能を行う。
【００６１】
本発明に応じて前記テレビモードで撮影キー又は確認キーを押すと、キャプチャーモードが実行される。前記キャプチャーモードでは本発明の二つの実施例に応じて静止映像をキャプチャーするか、動映像イメージをキャプチャーすることもできる。前記実施例による細部機能に応じて前記表示部に各細部機能が表示される。前記実施例による細部機能は後述する。
【００６２】
図７は本発明の実施例による受信されたテレビ信号をキャプチャーして伝送する過程を示した図である。
図７を参照すれば、ステップ７０１でテレビ受信モードが設定され、前記移動通信端末機の表示部を通じてテレビ受信信号をディスプレイする。
【００６３】
前記テレビモードを行う状態ではステップ７０３で撮影メニューを表示し、前記表示された撮影メニューを参照して画面撮影キーが入力されると、前記制御部１０はステップ７０５でこれを感知し、静止映像及び動映像キャプチャーの選択メニューをディスプレイする。
【００６４】
前記選択メニューを通じてステップ７０９の静止映像のキャプチャーメニューが選択されると、ステップ７１３で現在表示されている静止映像をキャプチャーするようになる。
この際、前記キャプチャーされた静止映像を編集又は確認するためにディスプレイされるイメージをキャプチャーされた瞬間に停止させうる。他の方法として、前記現在ディスプレイされるイメージがキャプチャーされても、テレビ動映像イメージが続けてディスプレイされ、下段部のメニューが貯蔵又は伝送メニューに変わることにより、キャプチャー命令の実行を判断することもできる。
【００６５】
前記選択メニューを通じて動映像キャプチャーメニューが選択されれば、ステップ７１１で現在ディスプレイされている動映像イメージのキャプチャー開始時点と終了時点を決め、前記時間の動映像イメージをキャプチャーすることができる。すなわち、使用者がリアルタイムでディスプレイされている動映像イメージを見ながら、端末機キー入力を通じてキャプチャー開始時点及び終了時点を決定する。一方、キー入力の便宜のために前記選択メニューで動映像キャプチャーメニューを選択する時点を動映像イメージのキャプチャー開始時点に設定し、終了時点のみをさらに決定することができる。この際、前記キャプチャー動作実行にかかわらず、上述した表示部の第１表示領域にテレビ映像イメージをディスプレイすることが好ましい。
【００６６】
前記キャプチャーされた動映像イメージはステップ７１５で圧縮が行われる。前記キャプチャーされた動映像イメージはファイルの容量が一般的なデータに比べて非常に大きいため、圧縮して貯蔵及び伝送することが好ましい。前記圧縮は上述したようにＭＰＥＧ、ＡＳＦ、ＡＳＸ、ＡＶＩ、ＤＡＴ、ＦＬＩ、ＦＬＣ、ＭＯＶ、ＭＰＥＧ、ＭＰＧ、ＲＡ、ＲＡＭ、ＲＭ、ＶＯＢ及びＶＩＶフォーマットのうち、選択されたいずれか一つのフォーマットで行われることができ、その他の動映像圧縮フォーマットも本発明に適用可能なのは明らかである。
【００６７】
前記キャプチャーされた静止映像又は動映像イメージは本発明に応じて伝送又は貯蔵が可能である。一方、前記イメージの伝送又は貯蔵過程は本発明に応じて前記テレビイメージをリアルタイムで視聴しながら行うことが好ましい。
【００６８】
すなわち、前記移動通信端末機の表示部で第１表示領域を通じてテレビイメージをディスプレイして視聴し、同時に前記表示部の他の表示領域(例えば、第２表示領域又は第３表示領域)を通じて前記イメージの伝送又は貯蔵作業を行える。
【００６９】
前記静止映像又は動映像イメージのキャプチャーが完了されると、前記表示部に貯蔵又は伝送メニューをディスプレイし、ステップ７１７の貯蔵メニューが選択されれば、ステップ７２１で前記キャプチャーされたデータが貯蔵される。
【００７０】
一方、本発明に応じてステップ７１９の伝送メニューが選択されれば、伝送方式に応じてフォントゥーフォンで伝送するか、電子メールで伝送するかを選択できるメニューがディスプレイされる。前記メニューでステップ７２３のフォントゥーフォンによる伝送が選択されれば、ステップ７２７で一般的なフォントゥーフォン伝送方法に応じて前記キャプチャーされたイメージが伝送される。
【００７１】
さらに、前記メニューでステップ７２５の電子メールによる伝送が選択されれば、ステップ７２９で一般的な電子メール伝送方法に応じて前記キャプチャーされたイメージが伝送される。 
【００７２】
以下、前記伝送方法をより具体的に説明する。前記テレビ静止映像又は動映像イメージの伝送は各種の方法により具現されうる。一方、前記イメージの伝送過程は伝送対象端末機へのデータ伝送を意味するので、通話モードによる処理が行われるべきであり、上述したようにテレビモードと同時に行われなければならない。
【００７３】
さらに、前記イメージデータは受信側端末機とのデータチャンネル設定の後に直接的に伝送することもでき、事業者のサーバーに前記イメージデータを臨時に貯蔵し、受信者の要求に応じて受信者の端末機からダウンロードされうる。
【００７４】
前記事業者のサーバーに貯蔵して伝送する方法を説明すると次の通りである。前記イメージデータを受信側端末機の電話番号とともに伝送すると、事業者のサーバーに前記イメージデータと受信側端末機の電話番号が貯蔵される。前記事業者は受信側に送信側端末機から伝送されるイメージデータが存在することを知らせる。前記受信データの存在を知らせることは短文メッセージサービス(ＳＭＳ：short message service)を通じて具現することもできる。
【００７５】
一方、受信側では前記受信されるイメージデータの存在情報を受信し、前記事業者サーバーに接続して前記イメージデータをダウンロードされる。
【００７６】
以下、他の方法として前記イメージデータを電子メールに添付して伝送する方法を説明する。前記送信側端末機では電子メール伝送メニューの選択を通じて受信側の電子メールアドレスを入力又は選択し、前記イメージデータを添付して伝送する。
【００７７】
上述したように前記イメージデータを電子メールに添付して伝送すると、受信者側では移動通信端末機を通じて前記電子メールメッセージ及び添付されたイメージデータを受信することもでき、オンラインで連結された一般的なコンピュータ端末機を通じても前記イメージデータを受信することができる。
【００７８】
一方、上述したように、フォントゥーフォンで伝送する場合は静止画面を伝送するとき、受信側端末機のディスプレイ規格及び網事業者の規格が異なることもできる。したがって、イメージ変換部１３９を通じて適宜規格(例えば、１２８×１１２又は１２８×９６ドット)に変換されるべきである。
【００７９】
しかし、電子メールでファイルを伝送する場合は上述したように網事業者が要求するディスプレイ規格に変換する必要がないので、自体サイズ(例えば、１２８×１６０ドット)のデータをそのまま圧縮(例えば、ＪＰＥＧ圧縮)して伝送することができる。さらに、前記電子メールで伝送する場合、題目/内容/添付などの過程を行って伝送する。一方、受信側の電子メールアドレスはメニューの構成に応じて直接入力するか、検索を通じて貯蔵されたアドレスを選択することができる。
【００８０】
図８は本発明の第１実施例に応じて静止画面の伝送時に表示部の状態を示した図である。
図８及び図９は移動通信端末機の表示部を示したものであり、説明の便宜上、テレビ動映像イメージをディスプレイする第１表示部と本発明によるキャプチャー機能を行えるメニューをディスプレイする第２表示部として示した。
さらに、図８及び図９は本発明に応じて前記各メニューを選択するとともに、リアルタイムでテレビ動映像イメージがディスプレイされていることを示す。
【００８１】
図８を参照すれば、画面８０１で第１表示部にテレビ動映像イメージがリアルタイムでディスプレイされており、下段部の第２表示部にはメニュー８０３及びキャプチャー８０５の選択のためのボタンがディスプレイされる。前記メニューボタン８０３は移動通信端末機のテレビモードと関連された機能に連結されることが好ましく、前記メニューに対する具体的な説明を図１０を参照して行う。
【００８２】
一方、前記撮影ボタン８０５が選択されれば、画面８０７で静止画面８０９と動映像８１１の選択メニューがディスプレイされる。前記画面８０７で静止画面８０９が選択されれば、前記選択瞬間にディスプレイされるイメージの静止映像がキャプチャーされる。さらに、前記静止画面８０９の選択瞬間にキャプチャーされた静止映像は臨時メモリに別途に貯蔵されることが好ましく、前記キャプチャーされた瞬間の後にも続けて前記テレビ動映像イメージがディスプレイされるように具現することが好ましい。
【００８３】
前記静止画面８０９が選択されて静止映像がキャプチャーされると、画面８１３のように貯蔵ボタン８１５及び伝送ボタン８１７がディスプレイされる。前記貯蔵ボタン８１５が選択されれば、前記キャプチャーされてメモリに臨時に貯蔵された静止映像が所定のメモリ領域に貯蔵されて管理される。この際、前記キャプチャーされたイメージにファイル名称を与えるようにメニューをさらに追加することができる。
【００８４】
一方、前記画面８１３で伝送ボタン８１７を選択すると、画面８１９でフォントゥーフォン伝送８２１及び電子メール伝送８２３を選択できるメニューがディスプレイされる。
前記フォントゥーフォン伝送８２１及び電子メール伝送８２３の選択に応じて上述したように前記キャプチャーされた静止映像データが伝送される。
【００８５】
図９は本発明の第２実施例に応じて動映像の伝送時に表示部の状態を示した図である。
図９は図８のように移動通信端末機の表示部を示したものであり、説明の便宜上、テレビ動映像イメージをディスプレイする第１表示部と本発明によるキャプチャー機能を行えるメニューをディスプレイする第２表示部として示した。
さらに、上述したように本発明に応じて前記各メニューを選択するとともに、リアルタイムでテレビ動映像イメージがディスプレイされていることを示す。
【００８６】
図９を参照すれば、画面９０１で第１表示部にテレビ動映像イメージがリアルタイムでディスプレイされており、下段部の第２表示部にメニュー９０３及びキャプチャー９０５の選択のためのボタンがディスプレイされる。前記メニューボタン９０３は移動通信端末機のテレビモードと関連された機能に連結されることが好ましく、前記メニューに対する具体的な説明は図１０を参照して後述する。
【００８７】
一方、前記撮影ボタン９０５が選択されれば、画面９０７で静止画面９０９と動映像９１１の選択メニューがディスプレイされる。前記画面９０７で動映像９１１が選択されると、前記選択瞬間からディスプレイされるイメージが続けてキャプチャーされて貯蔵される。前記リアルタイムでキャプチャーされるイメージは所定のメモリ領域に別途に貯蔵されることが好ましく、動映像イメージの場合はデータの量が相対的に多くて多少高容量のメモリが要求される。
【００８８】
前記動映像９１１が選択されて動映像イメージのキャプチャーが開始されると、画面９１３のように以前ボタン９１５及びキャプチャー終了ボタン９１７がディスプレイされる。前記キャプチャー終了ボタン９１７が選択されると、前記選択瞬間までのフレームのみが貯蔵され、その後にディスプレイされるイメージはキャプチャーされない。
【００８９】
一方、上述したように前記キャプチャーされる動映像イメージはデータの量が多くて適宜時間内にキャプチャー終了が行われなければ、備えられたメモリの容量限界を超過する場合が発生する。したがって、前記キャプチャーされている動映像のイメージのサイズが所定のサイズに至る場合(又は、既に設定された最大貯蔵機能時間を超過する場合)は強制的に終了させることが好ましい。
【００９０】
前記キャプチャー終了ボタン９１７が選択されて動映像イメージのキャプチャーが終了されると、画面９１９のように貯蔵ボタン９２１及び伝送ボタン９２３がディスプレイされる。前記貯蔵ボタン９２１が選択されると、前記キャプチャーされてメモリに臨時に貯蔵された動映像データが所定のメモリ領域に貯蔵されて管理される。この際、前記キャプチャーされた動映像イメージにファイル名称を与えるようにメニューをさらに追加することもできる。
【００９１】
一方、前記画面９１９で伝送ボタン９２３を選択すると、画面９２５のようにフォントゥーフォン伝送９２７及び電子メール伝送９２９を選択できるメニューがディスプレイされる。
上述したように、前記フォントゥーフォン伝送９２７及び電子メール伝送９２９の選択に応じて前記キャプチャーされた静止映像データが伝送される。
【００９２】
図１０はテレビモード時に機能をサービスする各キーの役割及びメニューを表示している。まず、メニューキーを押すと、携帯電話機のメインメニュー項目が表示される。ここで、テレビメニュー項目を選択すると、図１０に示したように“ＴＶ視聴”、“貯蔵された写真ビュー”及び“貯蔵された動映像ビュー”メニュー項目が表示される。さらに、前記“ＴＶ視聴”メニューを選択すると、“自動チャンネル”、“画面調整”及び“自動オフタイマー”などのメニューが表示される。“貯蔵された写真ビュー”又は“貯蔵された動映像ビュー”メニューを選択すると、“名称変更”、“現在写真削除”及び“全体写真削除”などのメニューが表示される。
【００９３】
前記メニュー画面表示はテレビモード(ＱＣＩＦ画面又は全体画面で表示される場合を含む)でメニューキーが発生されると、前記制御部１０は映像処理部７０に命令して前記表示部８０上にＱＣＩＦ(Quarter Common Intermediate Format)画面で表示されるように命令する。その後、前記映像処理部７０は映像データをＱＣＩＦ画面サイズに出力し、第２表示領域８３にメニュー項目を出力し、第３表示領域８５にソフトキーを表示する。
【００９４】
一方、本発明に応じてテレビモードでは前記メニューとリンクされたメニューボタンとイメージキャプチャーが容易になるようにキャプチャーメニューを図８及び図９に示したように表示できる。
【００９５】
前記撮影機能メニューは静止画面撮影及び動映像撮影メニューを含み、各々のキャプチャーメニューは貯蔵及び伝送メニューを含む。さらに、前記各伝送メニューはフォントゥーフォンで伝送するメニュー及び電子メールに添付して伝送するメニューを含む。
【００９６】
一方、上述したように、貯蔵メニューにはファイル名称設定メニューなどの一般的なファイル貯蔵時に使用されるメニューが追加されることができる。さらに、前記伝送メニューには受信側情報を入力するメニューが必須的に備えられるべきことは明らかである。例えば、電子メールに添付して伝送する場合、メニューは受信側の電子メールアドレスを入力又はメモリ検索を通じて追加すべきであり、フォントゥーフォンで伝送する場合は受信側の電話番号を入力又はメモリ検索を通じて追加すべきである。
【００９７】
上述したように、本発明の詳細な説明では具体的な実施例について説明したが、本発明の範囲を逸脱しない限り、各種の変形が可能なのは明らかである。したがって、本発明の範囲は前記実施例に限るものでなく、特許請求の範囲のみならず、その特許請求範囲と均等なものにより定められるべきである。
【００９８】
すなわち、本発明の詳細な説明では全般的に受信されて再生されているテレビ信号に対する例を説明しているが、動映像再生可能な移動通信端末機における一般的な動映像イメージ再生においても適用可能なのは明らかである。例えば、３世代移動通信で論議されているマルチキャストマルチメディア放送サービス(Multimedia Broadcast/Multicast Service、以下、“ＭＢＭＳ”)又はセル放送サービス(Cell Broadcast Service)にも適用が可能であり、移動通信端末機に貯蔵されている動映像を再生する場合にも同じく適用されうる。
【００９９】
前記ＭＢＭＳサービスによる動映像再生の場合、前記ＭＢＭＳサービスを提供する前記動映像を提供する事業者に特定対象への伝送を願う動映像に対する伝送を要請することができる。しかし、これは追加費用発生負担をもたらす。特に、前記動映像のうち、特定部分のみをキャプチャーして伝送する場合、本発明に応じて具現することが効果的である。
【０１００】
さらに、自分の移動通信端末機に貯蔵されている動映像を伝送する場合においても、前記動映像を再生するときに必要な部分のみをキャプチャーして前記動映像再生とともに伝送するようになる。 
【０１０１】
上述したように、移動通信端末機でディスプレイされる動映像イメージを再生する同時にリアルタイムで静止映像又は動映像をキャプチャーすることができ、録画及び伝送も可能になる長所がある。
【図面の簡単な説明】
【０１０２】
【図１】本発明の実施例に応じてテレビ信号を伝送する携帯端末機の構成を示した図。
【図２】図１で制御部とテレビ信号を受信する構成間の連結関係を詳細に示した図。
【図３】図１及び図２の映像処理部の構成を示した図。
【図４】図２及び図３で制御部と映像処理部の動作特性を示したタイミング図。
【図５】図１の表示部でテレビ映像信号を表示する領域を示した図。
【図６】図１でキーパッドと表示部の構成を示した図。
【図７】本発明の実施例に応じてテレビ信号を伝送する過程を示した流れ図。
【図８】本発明の第１実施例に応じて静止画面伝送時に表示部の状態を示した図。
【図９】本発明の第２実施例に応じて動映像伝送時に表示部の状態を示した図。
【図１０】図７のテレビ受信モードでサービスされるメニューを示した図。
【符号の説明】
【０１０３】
１０      制御部
２１      ＲＦ部
２３      データ処理部
２５      オーディオ処理部
２７      キーパッド
５０      チューナー
６０      デコーダ
７０      映像処理部
８０      表示部
【図１】
2004328741.tif 000003
【図２】
2004328741.tif 000004
【図３】
2004328741.tif 000005
【図４】
2004328741.tif 000006
【図５】
2004328741.tif 000007
【図６】
2004328741.tif 000008
【図７】
2004328741.tif 000009
【図８】
2004328741.tif 000010
【図９】
2004328741.tif 000011
【図１０】
2004328741.tif 000012